(57)【要約】【課題】電飾装置の大型化を抑えながら効果的な演出を行うことが可能な遊技機を提供する。【解決手段】第１照明基板４２の前方には、第１照明基板４２からの第１照明光の光路を囲む筒状のリフレクタ５０が配置される。リフレクタ５０には、第１照明光の光路を下方に拡大するように湾曲された湾曲部５６が設けられており、リフレクタ５０の前方には、第１照明基板４２よりも大型の化粧パネル３４が配置される。第１照明基板４２の下方には、第２照明基板４４が設けられ、第２照明基板４４の前面にはレンズカバー４０が設けられている。第２照明基板４４及びレンズカバー４４の上部は、湾曲部５６の背後に埋め込まれるように配置される。【選択図】図４
2018019947.tif 000002
【特許請求の範囲】
【請求項１】
第１光源が実装された第１照明基板と、
第２光源が実装され、前記第１照明基板よりも遊技機本体の中心側に、前記第１照明基板と隣接して配置される第２照明基板と、
前記第１光源からの照明光により背面側から照明される前面パネルであり、前記第１照明基板よりも大型に形成され、前後方向において前記第１照明基板の全部及び前記第２照明基板の一部と重複するように、前記第１、第２照明基板の前方に配置される前面パネルと、
前記第１光源からの照明光の光路を囲む筒状の側壁を有するリフレクタと、を備え、
前記リフレクタは、前記第１照明基板から前記前面パネルへ向かうほど前記第１照明光の光路が前記遊技機本体の中心側へ拡大されるように、前記側壁が前記遊技機本体の中心側へ向けて湾曲された湾曲部を有し、
前記第２照明基板は、前記リフレクタよりも前記遊技機本体の中心側に配置されるとともに、少なくとも一部が前記湾曲部の背後に配置され、
前記第２照明基板からの照明光は、前記第１照明基板からの照明光よりも前記遊技機本体の中心側に傾いた方向へ向けて出射されることを特徴とする遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンには、例えば、機種名やキャラクタの絵柄などが記載された化粧パネルを照明してスロットマシンを演出する電飾装置が設けられている。電飾装置は、リフレクタなどの導光手段を備え、光源からの照明光を所望の範囲へと照射している（下記特許文献１〜３参照）。
【先行技術文献】
【特許文献】
【０００３】
【特許文献１】特開２００４−０３３３０５
【特許文献２】特開２００７−２１５８３４
【特許文献３】特開２００９−１２５４９３
【発明の概要】
【発明が解決しようとする課題】
【０００４】
しかしながら、従来の電飾装置は、構成部材やスペースの利用効率が悪く、大型化してしまうといった問題や、効果的な演出を行えないなどといった問題があった。
【０００５】
本発明は、上記背景を鑑みてなされたものであり、電飾装置の大型化を抑えながら効果的な演出を行うことが可能な遊技機を提供することを目的としている。
【課題を解決するための手段】
【０００６】
上記目的を達成するために、本発明の遊技機は、第１光源が実装された第１照明基板と、第２光源が実装され、前記第１照明基板よりも遊技機本体の中心側に、前記第１照明基板と隣接して配置される第２照明基板と、前記第１光源からの照明光により背面側から照明される前面パネルであり、前記第１照明基板よりも大型に形成され、前後方向において前記第１照明基板の全部及び前記第２照明基板の一部と重複するように、前記第１、第２照明基板の前方に配置される前面パネルと、前記第１光源からの照明光の光路を囲む筒状の側壁を有するリフレクタと、を備え、前記リフレクタは、前記第１照明基板から前記前面パネルへ向かうほど前記第１照明光の光路が前記遊技機本体の中心側へ拡大されるように、前記側壁が前記遊技機本体の中心側へ向けて湾曲された湾曲部を有し、前記第２照明基板は、前記リフレクタよりも前記遊技機本体の中心側に配置されるとともに、少なくとも一部が前記湾曲部の背後に配置され、前記第２照明基板からの照明光は、前記第１照明基板からの照明光よりも前記遊技機本体の中心側に傾いた方向へ向けて出射されることを特徴としている。
【発明の効果】
【０００７】
本発明では、リフレクタに設けた湾曲部の内側（前側）と外側（背面側）とのスペースを有効活用し、電飾装置の大型化を抑えながら効果的な演出を行うことができる。
【図面の簡単な説明】
【０００８】
【図１】スロットマシンの外観図である。
【図２】電飾ユニットの外観図である。
【図３】電飾ユニットの分解図である。
【図４】電飾ユニットの断面図である。
【図５】電飾ユニットの断面分解図である。
【図６】第２照明基板の法線方向からレンズカバー及び第２照明基板を観察した様子を示す説明図である。
【図７】リフレクタに光拡散板を組み付けた状態を示す、導光部材の外観図である。
【図８】リフレクタから光拡散板を分離した状態を示す、導光部材の外観図である。
【図９】光拡散板に窪みを設け、リフレクタに突起を設けた例を示す説明図である。
【図１０】突起に代えて位置決め突起を設けるとともに、窪みに代えて位置決め窪みを設けた例を示す説明図である。
【図１１】レンズカバーをベース部材に取り付けるための機構を示す説明図である。
【図１２】レンズカバーをベース部材に取り付ける手順を示す説明図である。
【図１３】レンズカバーをベース部材に取り付けるための機構を示す説明図である。
【図１４】係止部材を爪により着脱自在とした例を示す説明図である。
【図１５】係止部材を爪により着脱自在とした例を示す説明図である。
【発明を実施するための形態】
【０００９】
図１に示すように、スロットマシン（遊技機）１０は、収納箱１１と、前面扉１２とを備え、これらから遊技機本体が構成されている。収納箱１１には、複数のリールがユニット化されたリールユニットや、メダルの払い出しを行うホッパ装置などが収納されている。前面扉１２は、上扉１２ａと下扉１２ｂとに分割されており、これら上扉１２ａ及び下扉１２ｂはそれぞれ収納箱１１に軸着され、開閉自在に支持されている。
【００１０】
上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１１】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２８、クレジットされたメダルを清算するための清算ボタン２９が設けられている。
【００１２】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると、当選役抽選が実行されて複数種類の当選役のいずれかまたはハズレが決定されるとともにリールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役抽選で決定された当選役に対応する図柄組合せが表示されると、この当選役が入賞となり、入賞した当選役に対応する処理（入賞処理）が実行される。
【００１３】
また、スロットマシン１０には、上扉１２ａの上端中央部に電飾ユニット（電飾装置）３０が設けられている。電飾ユニット３０は、外カバー３２を備え、外カバー３２の前端部には化粧パネル（前面パネル）３４が配置されている。化粧パネル３４は、例えば、スロットマシン１０の機種名やスロットマシン１０を象徴するキャラクタなどがプリントされたプリントシートやプリントシートの前面に配置される透明な保護パネルなどからなり、後述する第１照明基板４２に配置された第１ＬＥＤ（第１光源）４６からの照明光により背面側から照明され、スロットマシン１０を演出する。
【００１４】
＜電飾ユニットの構成＞
図２〜図５に示すように、電飾ユニット３０は、前述した外カバー３２の他、ベース部材３６、導光部材３８、レンズカバー４０を備えている。ベース部材３６には、第１照明基板４２、第２照明基板４４が取り付けられている。第１照明基板４２は、複数の第１ＬＥＤ（第１光源）４６が実装され、これら第１ＬＥＤ４６が実装された発光面を前方ヘ向けた状態で取り付けられている。第２照明基板４４は、複数の第２ＬＥＤ（第２光源）４８が実装され、これら第２ＬＥＤ４８が実装された発光面を斜め下へ向けた状態（第１照明基板４２よりも下方（遊技機本体の中心側）へ傾けた状態）で、第１照明基板４２の下方（遊技機本体の中心側）に取り付けられている。
【００１５】
導光部材３８は、リフレクタ５０と光拡散板５２とから構成され、外カバー３２（化粧パネル３４）とベース部材３６（第１照明基板４２）との間で前後から挟持される。リフレクタ５０は、本体筒４４を備え、本体筒４４は、第１照明基板４２（第１ＬＥＤ４６）からの照明光の光路を囲む筒状の側壁を有し、第１照明基板４２の外縁部と化粧パネル３４の外縁部とを繋ぐように形成されている。そして、第１照明基板４２からの照明光は、本体筒５４の後端側から本体筒５４内に入射し、本体筒５４の内面で反射されながら本体筒５４の前端側へ案内される。
【００１６】
光拡散板５２は、前面や背面に、大きさや形状や角度の異なる複数の光屈折面（図示せず）が形成されており、入射した照明光を拡散して出射させる。光拡散板５２は、リフレクタ５０の前端部に組み込まれ、第１照明基板４２からの照明光は、リフレクタ５０により光拡散板５２に案内され、光拡散板５２を介して拡散されて化粧パネル３４ヘ向けて出射される。このように、導光部材３８（リフレクタ５０）の前端部が、第１照明基板４２（第１ＬＥＤ４６）からの照明光を出射する出射部として機能する。
【００１７】
化粧パネル３４は、第１照明基板４２よりも大型に形成されており、本実施形態では、上下方向の長さが第１照明基板４２よりも長く形成されている。そして、化粧パネル３４及び第１照明基板４２は、上端の位置がほぼ同じ高さとなるように配置される。このため、化粧パネル３４の下端は、第１照明基板４２の下端より下方、さらに、第２照明基板４４の上端よりも下方に位置する。すなわち、化粧パネル３４は、前後方向において、第１照明基板４２の全部、及び、第２照明基板４４の一部（上部）と重複するように配置されている。
【００１８】
導光部材３８は、第１照明基板４２からの照明光が、第１照明基板４２よりも下方に拡大された化粧パネル３４の背面全体に照射されるように構成されている。具体的には、リフレクタ５０の下壁（側壁）には、後端側から前端側へ向けて第１照明基板４２からの照明光の光路を下方（遊技機本体の中心側）へ向けて拡大するように湾曲された湾曲部５６が設けられており、この湾曲部５６により第１照明基板４２からの照明光の光路が拡大され、化粧パネル３４の背面全体に、第１照明基板４２からの照明光が照射される。
【００１９】
このように、リフレクタ５０に湾曲部５６を設けて第１照明基板４２からの照明光の光路を拡大し、第１照明基板４２からの照明光が出射される出射部（第１出射部）を大型化することで、化粧パネル３４を大型化でき、スロットマシン１０をより効果的に演出できる。
【００２０】
なお、前述のように、第１照明基板４２からの照明光の光路は、第１照明基板４２の下端よりも下方に拡大されているため、第１照明基板４２からの照明光が届き難い。すなわち、化粧パネル３４は、下端部へ向かうほど、第１照明基板４２からの照明光の光量が低下して暗くなる傾向にある。このため、例えば、下端部へ向かうほど色が薄くなるグラデーション塗装を施すなどにより、下部へ向かうほど照明光の透過率が高くなるように化粧パネル３４を構成し、化粧パネル３４の明るさを均一にしてもよい。
【００２１】
また、化粧パネル３４の明るさを敢えて均一にせず（グラデーション塗装などを施さず）、下端部の方が暗くなるといった特性を利用してもよい。この場合、例えば、海（海中）の絵柄を化粧パネル３４にプリントするといったことが考えられる。こうすることで、化粧パネル３４にプリントした海（海水）の色や濃さが同じであっても、化粧パネル３４の下部（深海）へ向かうほど明るさが暗くなるため、海の様子を手軽に表現できる（本来であれば、グラデーション塗装などで表現するものを、グラデーション塗装無しに表現できる）。
【００２２】
以上のように、湾曲部５６を設けることで、湾曲部５６の前方まで化粧パネル３４を拡大でき、スロットマシン１０をより効果的に演出できるが、これと同時に湾曲部５６の背後にもスペースが形成される。スロットマシン１０では、このようにして湾曲部５６の背後（導光部材３８（リフレクタ５０）の下側）に形成されたスペースに、第２照明基板４４及びレンズカバー４０の一部（上部）を埋めこむように配置している。
【００２３】
レンズカバー４０は、光透過性を有する材料から形成され、第２照明基板４４を覆うように第２照明基板４４の前方に配置される。本実施形態では、レンズカバー４０を、上部のつぶれた略半球状に形成し（図６参照）、このつぶれた部分（上部）が湾曲部５６の背後に形成されたスペースに埋め込まれるように配置している（図４参照）。そして、第２照明基板４４（第２ＬＥＤ４８）からの照明光は、このレンズカバー４０を介して、斜め下（前方（第１照明基板４２の発光面が向けられた方向）よりも遊技機本体の中心側に傾けられた方向であり、遊技者の顔が存在する方向）へ向けて出射される。
【００２４】
このように、レンズカバー４０や第２照明基板４４を湾曲部５６の背後（すなわち、化粧パネル３４の背後）に埋めこむように配置することにより、上下方向のサイズを抑え、電飾ユニット３０を小型化できる。
【００２５】
なお、前述のように、本実施形態では、レンズカバー４０の形状を、上部のつぶれた半球状としている。こうすることで、上部のつぶれていない半球状のレンズカバーを用いた場合と比較して、より小型化（上下方向のサイズを抑えること）が可能である。一方、本実施形態では、第２照明基板４４に配置される第２ＬＥＤ４８については、図６に示すように、遊技者側（第２照明基板４４の発光面が向けられた方向）から観察した際に、レンズカバー４０の中心（レンズカバー４０のうち半球状の部分（つぶれていない部分）の球の中心）と重なる点Ｘを中心とした同心円状に配列（円形に配列）している。こうすることで、化粧パネル３４の背後に埋もれたレンズカバー４０の上部を視認することができない遊技者に、光源が円形である（レンズカバー４０が半球状（上部のつぶれていない半球状）である）かのように認識させることができる。
【００２６】
また、スロットマシン１０では、上述した湾曲部５６により電飾ユニット３０の大型化を抑えながら化粧パネル３４を大型化していることに加え、化粧パネル３４を効果的に照明するために、導光部材３８の構成に工夫を施している。さらに、スロットマシン１０では、強固な固定とメンテナンス性の高さを両立するために、レンズカバー４０の取り付け構造に工夫を施している。
【００２７】
以下、化粧パネル３４を効果的に照明するための導光部材３８の構成、及び、強固な固定とメンテナンス性の高さを両立するためのレンズカバー４０の取り付け構造について順番に説明を行う。
【００２８】
＜導光部材の構成＞
初めに、導光部材３８の構成について説明する。
なお、本実施形態では、化粧パネル３４に、化粧パネル３４を左右に仕切るように第１、第２の２種類の被照明領域６０、６２が設けられ、導光部材３８は、第１照明基板４２からの照明光を、第１被照明領域６０と、第２被照明領域６２とに区別して個別に導光する例で説明を行う（図７、図８参照）。
【００２９】
図７、図８に示すように、導光部材３８には、リフレクタ５０の本体筒５４の内部に、本体筒５４の内部空間を左右に仕切るように仕切板６４が設けられている。この仕切板６４により、第１照明基板４２からの照明光が、第１被照明領域６０に照射されるものと、第２被照明領域６２に照射されるものとに区別される。こうすることで、第１、第２の各被照明領域６０、６２の境界を明確にし、メリハリのある照明を可能としている。さらに、例えば、第１、第２被照明領域６０、６２のうちの一方のみを照明するようにしたり、第１被照明領域６０と第２被照明領域６２とで照明色を異ならせるといった演出なども効果的に行うことができる。
【００３０】
また、スロットマシン１０では、前述したように、光拡散板５２をリフレクタ５０の前端部（遊技者側）に配置しているので、よりメリハリのある照明が可能である。すなわち、本実施形態のように、複数の光屈折面を有する光拡散板５２を介して照明光を視認すると、光屈折面に対応する複数の光源が光出射面に存在するかのように光出斜面が輝いて視認されるが、光拡散板５２がリフレクタ５０の後端部に設けられている場合、光拡散板５２から出射した照明光がリフレクタ５０の内面で反射されて均斉化された後に視認されることになるため、１つの面光源のように視認されてしまう（光屈折面同士の境界が不明確となってしまう）。これに対し、本実施形態のように、光拡散板５２をリフレクタ５０の前端部に設けた場合は、光拡散板５２から出射した照明光が均斉化されることなく視認されるため、各々の光屈折面から出射した照明光がメリハリを保ったまま（光屈折面同士の境界が明確なまま）の状態で視認される。
【００３１】
しかし、このように仕切板６４を設け、また、光拡散板５２をリフレクタ５０の前端部に配置しても、仕切板６４と光拡散板５２との間に隙間があると、この隙間から、第１被照明領域６０へ照射されるべき照明光（第１照明光）が第２被照明領域６２へ漏れてしまったり、反対に、第２被照明領域６２へ照射されるべき照明光（第２照明光）が第１被照明領域６０へ漏れてしまうといった問題がある。このため、スロットマシン１０では、光拡散板５２に上下に長いスリット状の開口６６を設け、この開口６６から、光拡散板５２を貫通させて導光部材３８の先端部まで仕切板６４の前端部を突出させている。こうすることで、前述した光漏れの問題を防止し、第１、第２の各被照明領域６０、６２の境界を明確にし、メリハリのある照明が可能となる。
【００３２】
また、本実施形態では、開口６６の上下方向の長さを、光拡散板５２の上下方向の長さよりも短く形成し、光拡散板５２を、第１被照明領域６０の背後に配置される第１部位６８と、第２被照明領域６２の背後に配置される第２部位７０とが開口６６の上側と下側とで接続された１つの部材として、例えば、射出成形などにより形成している。このように、光拡散板５２を１つの部材とすることで、光拡散板を第１部位と第２部位との２つの部材から構成し、それぞれ個別に製造してリフレクタ５０に組み付ける場合と比較して、製造や組み立ての手間を軽減できる。
【００３３】
上述のように、光拡散板５２を１つの部材から構成することにより製造や組み立ての手間を軽減できるが、反面、第１部位６８と第２部位７０との接続部分の幅が広く（上下方向の長さが長く）なると、前述した光漏れの問題が発生してしまう。このため、接続部分の幅は、できるだけ狭くする必要があり、本実施形態では、光拡散板５２の厚み程度としている。しかし、接続部分の幅を狭くすることで、光拡散板５２が接続部分で折れてしまう恐れがある。このため、スロットマシン１０では、光拡散板５２に突起７２を設け、この突起７２により接続部分を補強している（すなわち、突起７２が補強部材として機能する）。
【００３４】
突起７２は、光拡散板５１の背面に設けられ、第１部位６８と第２部位７０とに跨るように左右に長く形成されている。また、突起７２は、開口６６の上端側（光拡散板５１の開口６６における長手方向側の端部）と下端側（光拡散板５１の開口６６における長手方向側の端部）とのそれぞれに設けられている。そして、突起７２は、仕切板６４の前端部の上端（リフレクタ５０の前端部かつ仕切板６４による仕切り方向（本実施形態では上下方向）の端部）及び下端（リフレクタ５０の前端部かつ仕切板６４による仕切り方向（本実施形態では上下方向）の端部）に形成された窪み７４ヘ向けて延びるように形成され、窪み７４に係合される。このように、突起７２を設けることにより、第１部位６８と第２部位７０との接続部分で光拡散板５２が折れてしまうといった問題を防止している。さらに、窪み７４に突起７２を係合させることにより窪み７４に何も係合させない場合と比較して、窪み７４からの光漏れの問題を防止し、第１、第２の各被照明領域６０、６２の境界を明確にできる。
【００３５】
また、光拡散板５２には、位置決め突起７６が設けられており、この位置決め突起７６により、光拡散板５２の位置決めやがたつきの防止を行っている。位置決め突起７６は、光拡散板５２の側面から側方へ突出するように形成されてており、本実施形態では、光拡散板５２の上面に２つ、下面に２つの合計４つの位置決め突起７６を設けている。リフレクタ５０の本体筒５４には、位置決め突起７６に対応する４つの位置にそれぞれ位置決め窪み７８が形成されている。光拡散板５２は、位置決め突起７６が位置決め窪み７８に係合するように、本体筒５４にセットされることにより、光拡散板５２の板面と平行な面内における位置決めがなされる。
【００３６】
さらに、光拡散板５２が本体筒５４にセットされると位置決め窪み７８の前端側の面と、位置決め突起７６の後端側の面とが当接し、光拡散板５２の後側への移動が規制される。また、位置決め突起７６は、前後方向の厚みが、位置決め窪み７８の前後方向の深さと等しくなるように形成されている。これにより、光拡散板５２が本体筒５４にセットされると、本体筒５４の前端と位置決め突起７６の前端（すなわち、光拡散板５２の前端）とが面一となる。このように、導光部材３８（すなわち、第１導光部材として機能する光拡散板５２と、第２導光部材として機能するリフレクタ５０（本体筒５４））は、前端部が面一となるように組み合わされ、前端部が外カバー３２（化粧パネル（前面パネル）３４）の背面と当接するように、外カバー３２の背後に配置される。これにより、導光部材３８（リフレクタ（第１導光部材）５０と光拡散板（第２導光部材）５２）の前方向への移動も規制される。
【００３７】
このように、スロットマシン１０では、光拡散板５２をリフレクタ５０の前端部（遊技者側）に設けたので、メリハリのある照明が可能であり、また、仕切板６４の先端部を、光拡散板５２を貫通させて導光部材３８の先端部まで突出させることで、第１、第２被照明領域６０、６２間での光漏れを防止できる。さらに、光拡散板５２を第１部位６８と第２部位７０とが一体化された１つの部材から形成したため、製造や組み立ての手間を軽減でき、また、第１部位６８と第２部位７０との間に突起７２を設けたので光拡散板５２の破損も防止できる。さらに、位置決め突起７６と位置決め窪み７８と係合させることにより、光拡散板５２の位置決めやがたつきの防止が可能である。
【００３８】
なお、本実施形態では、光拡散板５２に突起７２を設け、リフレクタ５０に窪み７４を設ける例で説明をしたが、図９に示すように、光拡散板５２に窪み７４を設け、リフレクタ５０に突起７２を設けてもよい。また、図１０に示すように、光拡散板５２に、突起７２に代えて位置決め突起７６を設けるとともに、リフレクタ５０に、窪み７４に代えて位置決め窪み７８を設けてもよい。すなわち、位置決め突起７６を、前述した実施形態の突起７２としても機能させるとともに、位置決め窪み７８を、前述した実施形態の窪み７４としても機能させる構成としてもよい。
【００３９】
＜レンズカバーの取り付け構造＞
続いて、レンズカバー４０の取り付け構造について説明を行う。
図１１に示すように、レンズカバー４０は、下端部に係止片８０が設けられている。レンズカバー４０は、この係止片８０が係止部材８２によって係止されることで、ベース部材３６に固定される。なお、本実施形態では、レンズカバー４０の上端部についても、ネジ８４によりベース部材３６にネジ止めすることで、より強固に固定されるようにしているが、レンズカバー４０の上端部についてはネジ止め（固定）せずに、係止部材８２のみでレンズカバー４０をベース部材３６に固定してもよい。
【００４０】
係止片８０は、第２照明基板４４の法線と平行な基端部８６と、基端部８６の先（遊技機本体の背面（後）側）に設けられ、第２照明基板４４の法線に対して傾けられた（本実施形態においては下方に傾けられた）先端部８８とを有している。そして、先端部８８には、貫通孔（係合孔）９０が形成されている。なお、本実施形態では、レンズカバー４０を取り付けた状態で先端部８８が水平となるように係止片８０を形成している。
【００４１】
ベース部材３６には、係止片８０が挿通される挿通孔９２が形成されている。挿通孔９２は、ベース部材３６を前後に貫通するように形成され、係止片８０は、レンズカバー４０をベース部材３６に取り付ける際にこの挿通孔９２に挿通される。前述のように、係止片８０は、第２照明基板４４の法線に平行な基端部８６と第２照明基板４４の法線に対して傾けられた先端部８８とからなる「くの字」形状に形成されている。このため、挿通孔９２も係止片８０の形状に対応して「くの字」形状に屈曲されている。
【００４２】
そして、図１２（ａ）に示すように、レンズカバー４０は、係止片８０の先端部８８を第２照明基板４４の法線と平行にした状態で、第２照明基板４４の法線と平行な方向（取り付け方向）に沿って第２照明基板４４側へ移動されて先端部８８が挿通孔９２に挿通された後、同図（ｂ）に示すように、係止片８０の基端部８６が第２照明基板４４の法線と平行になるように時計回りに回転されながら、取り付け方向に沿ってさらに移動されて基端部８６が挿通孔９２に挿通されることにより、同図（ｃ）に示すように、ベース部材３６にセット（仮止め）される。
【００４３】
このように、レンズカバー４０は、係止片８０の向きを変えるように回転されながら第２照明基板４４ヘ向けて移動されてベース部材３６にセットされる。このため、挿通孔９２の幅（上下方向の幅）は、レンズカバー４０をベース部材３６にセットする際に係止片８０の移動（回転）を妨げないように、係止片８０の厚さよりも厚く（広く）形成されている。
【００４４】
レンズカバー４０が仮止められた後は、図１２（ｄ）に示すように、ネジ９４により係止部材８２がベース部材３６にネジ止めされる。係止部材８２は、挿通孔９２の内面（本実施形態では下面）との間で係止片８０の先端部８８を挟み込むように（本実施形態では上下から挟み込むように）ベース部材３６にセットされた後、ネジ止めされて固定される。なお、本実施形態では、前後に長いネジ９４により、ベース部材３６の背面とネジ（ネジの頭）との間で前後から挟み込むように係止部材８２を固定している。このように、前後に長いネジ９４を用いて係止部材８２を固定することにより、例えば、上下に長いネジで係止部材８２を固定する場合と比較して上下方向のサイズを小さくできる。
【００４５】
図１２（ｄ）において破線で囲んだ領域を拡大した図１３において、係止部材８２の下面には、移動規制突起９６、９８が立設されている。移動規制突起９６は、係止部材８２がベース部材３６に取り付けられた際に、係止片８０（先端部８８）に設けられた貫通孔９０に挿通され、レンズカバー４０の移動（本実施形態では前後方向への移動）を規制する。移動規制突起９８は、係止部材８２がベース部材３６に取り付けられた際に、係止片８０（先端部８８）の先端面（遊技機本体の背面側の面）と対面するように配置され、レンズカバー４０の後方向への移動を規制する。このように、移動規制突起９６、９８により係止片８０（先端部８８）の移動が規制されることにより、レンズカバー４０の脱落が防止される（レンズカバー４０がベース部材３６に固定される）。
【００４６】
また、係止部材８２がベース部材３６に取り付けられると、係止部材８２の下面により係止片８０（先端部８８）の上方への移動が規制される。これにより、レンズカバー４０を回転させて係止片８０を挿通孔９２から引き出すといったことが不可能となり、レンズカバー４０の脱落がより確実に防止される（レンズカバー４０がより確実にベース部材３６に固定される）。
【００４７】
このように、レンズカバー４０やベース部材３６とは別体の係止部材８２によりレンズカバー４０を固定するようにしたので、強固な固定とメンテナンス性の高さを両立できる。すなわち、ベース部材３６と一体に形成された爪（レンズカバー４０を装着する際に係止片８０（先端部８８）により押圧されて退避位置に移動し、係止片８０が根本まで挿通孔９２に挿通されると貫通孔９０と係合して係止片８０の移動を規制する位置へ戻る爪）などによりレンズカバー４０を固定する場合、強固な固定を目指すとレンズカバー４０の取り外しが困難となりメンテナンス性が低下する。反対に、メンテナンス性の向上（取り外しの容易さ）を目指すと、強固な固定が不可能となり、がたつきや脱落の恐れがあるが、本発明では、このような問題がなく、強固な固定とメンテナンス性の高さを両立できる。また、係止部材８２はベース部材３６の背面側に取り付けられ、前面側（遊技者側）には露呈しないため、意匠性が低下してしまうこともない。
【００４８】
なお、本実施形態では、係止部材をベース部材にネジ止めする例で説明をしたが、ネジ止め以外の方法で係止部材をベース部材に対して着脱自在としてもよい。この場合、例えば、図１４、図１５に示すように、係止部材を爪により着脱自在とする構成が考えられる。なお、図１４以降の図面を用いた説明では、上述した実施形態と同様の部材については同様の符号を付して説明を省略する。
【００４９】
図１４の例では、爪１００により係止部材１０２の後方（背面側）への移動を制限して、係止部材１０２の脱落を防止している。係止部材１０２は、ベース部材３６の背面側から前方へ移動されることによりベース部材３６へと取り付けられる。爪１００は、係止部材１０２を取り付ける過程で係止部材１０２により上方へと押し上げられ、係止部材１０２が取り付けられると元の位置に戻り、係止部材１０２の後方への移動を制限する。係止部材１０２がベース部材３６取り付けられると、ベース部材３６により係止部材１０２の上方への移動が防止され、係止片８０が上下から挟み込まれるようにして支持される。これにより、レンズカバー４０を回転させて係止片８０を挿通孔９２から引き出すといったことが不可能となり、レンズカバー４０の脱落が防止される。
【００５０】
このように、図１４の例では、レンズカバー４０の回転（係止片８０の上方への移動）を規制することによりレンズカバー４０の脱落を防止しているため、係止部材１０２が前後にガタついても（数ｍｍ程度前後に移動しても）レンズカバー４０の脱落を防止する機能については変化することなく維持される。つまり、爪１００には、係止部材１０２の前後へのガタつきを防止する機能は必要ない。このため、図１４の例では、係止部材１０２がベース部材３６から脱落しない範囲において、係止部材１０２の前後への移動を許容する構成（具体的には、数ｍｍ程度であれば、係止部材１０２の前後への移動を許容する構成）としている。こうすることで、係止部材１０２の着脱を容易としている（メンテナンス性を良好なものとしている）。
【００５１】
他方、図１５の例では、爪１１０により係止部材１１２の上方への移動を制限して、係止部材１１２の脱落を防止している。係止部材１１２は、挿通孔９２の上方から下方へ移動されることによりベース部材３６へと取り付けられる。爪１１０は、係止部材１１２を取り付ける過程で係止部材１１２により後方（背面側）へと押し退けられ、係止部材１１２が取り付けられると元の位置に戻り、係止部材１１２の上方への移動を制限する。係止部材１１２がベース部材３６に取り付けられると、ベース部材３６により係止部材１１２の前後への移動が規制されるとともに、係止部材１１２に設けられた移動規制突起９６が貫通孔９０に挿通される。これにより、レンズカバー４０の前後への移動が規制される（レンズカバー４０の脱落が防止される）。
【００５２】
このように、図１５の例では、移動規制突起９６を貫通孔９０に挿通することで、レンズカバー４０の前後への移動を規制することにより、レンズカバー４０の脱落を防止しているため、係止部材１１２が上下にガタついても（数ｍｍ程度上下に移動しても）レンズカバー４０の脱落を防止する機能については変化することなく維持される。つまり、爪１１０には、係止部材１１２の上下へのガタつきを防止する機能は必要ない。このため、図１５の例では、係止部材１１２がベース部材３６から脱落しない範囲（移動規制突起９６が貫通孔９０から脱落しない（抜けてしまわない）範囲）において、係止部材１１２の上下への移動を許容する構成（具体的には、数ｍｍ程度であれば、係止部材１１２の上下への移動を許容する構成）としている。こうすることで、係止部材１１２の着脱を容易としている（メンテナンス性を良好なものとしている）。
【００５３】
なお、本発明は、上記実施形態に限定されず、細部の構成については適宜変更できる。例えば、上記実施形態では、レンズカバーの取り付け方向（第２照明基板の法線に平行な方向）に対して先端部が傾いた、断面が「くの字」形状の係止片をレンズカバーに設け、レンズカバーを回転させながら移動させてベース部材に取り付ける（挿通孔に係止片を挿通する）例で説明をしたが、本発明はこれに限定されない。係止片は、基端部及び先端部のいずれもがレンズカバーの取り付け方向に平行な、断面が直線形状であってもよい。この場合も、係止部材に設けられた移動規制部材によりレンズカバーが取り付け方向やその反対方向へ移動すること規制されるので、強固な固定とメンテナンス性の高さの両立が可能である。
【００５４】
また、上記実施形態では、電飾ユニットが遊技機本体の上端部に配置されている例で説明をしたが、電飾ユニットの配置位置は自由に設定できる。さらに、上記実施形態では、第２照明基板を、第１照明基板に対して遊技機本体の中心側へ傾けた状態で配置する例で説明をしたが、第２照明基板を、第１照明基板と平行に配置してもよい。この場合、第２照明基板からの照明光を、導光部材を介して遊技者側へ（第１照明基板に対して遊技機本体の中心側ヘ傾けた方向へ）出射させればよい。
【００５５】
また、上記実施形態では、１枚の仕切板によりリフレクタ（本体筒）の内部空間を２つの領域に仕切っているが、２枚以上の仕切板により本体筒の内部空間を３つ以上の領域に仕切ってもよい。さらに、上記実施形態では、仕切板により本体筒の内部空間を左右に仕切っているが、本体筒の内部空間の仕切り方（仕切板の形状）については自由に設定できる。例えば、水平な仕切板により本体筒の内部空間を上下に仕切ってもよいし、化粧パネルにプリントされた文字や図柄などの形状に対応した形状の仕切板により、本体筒の内部空間を文字や図形の形状に仕切ってもよい。
【００５６】
また、上記実施形態では、遊技機としてスロットマシンに本発明を適用する例で説明をしたが、例えば、パチンコ機など、スロットマシン以外の遊技機に対して本発明を適用してもよい。
【符号の説明】
【００５７】
１０  スロットマシン（遊技機）
１２  前面扉
１２ａ  上扉
１２ｂ  下扉
２４  スタートレバー
２６ａ〜２６ｃ  ストップボタン
３０  電飾ユニット
３２  外カバー
３４  化粧パネル（前面パネル）
３６  ベース部材
３８  導光部材
４０  レンズカバー
４２  第１照明基板
４４  第２照明基板
４６  第１ＬＥＤ
４８  第２ＬＥＤ
５０  リフレクタ（第１導光部材）
５２  光拡散板（第２導光部材）
５４  本体筒
５６  湾曲部
６０  第１被照明領域
６２  第２被照明領域
６４  仕切板
６６  開口
６８  第１部位
７０  第２部位
７２  突起（補強部材）
７４  窪み
７６  位置決め突起
７８  位置決め窪み
８０  係止片
８２、１０２、１１２  係止部材
８４、９４  ネジ
８６  基端部
８８  先端部
９０  貫通孔（係合孔）
９２  挿通孔
９６、９８  移動規制突起
１００、１１２  爪
【図１】
2018019947.tif 000003
【図２】
2018019947.tif 000004
【図３】
2018019947.tif 000005
【図４】
2018019947.tif 000006
【図５】
2018019947.tif 000007
【図６】
2018019947.tif 000008
【図７】
2018019947.tif 000009
【図８】
2018019947.tif 000010
【図９】
2018019947.tif 000011
【図１０】
2018019947.tif 000012
【図１１】
2018019947.tif 000013
【図１２】
2018019947.tif 000014
【図１３】
2018019947.tif 000015
【図１４】
2018019947.tif 000016
【図１５】
2018019947.tif 000017